(57)【要約】      （修正有）【課題】マッサージヘッドとこれに着脱自在に適合する身体を押したり突いたりチョップを加えたりしてマッサージを行うためのマッサージアタッチメントとを備えたマッサージ機に関して、マッサージヘッドの強力な振動運動によってもマッサージアタッチメントが緩んだり外れてしまうことが少ないマッサージ機を提供する。【解決手段】電磁コイルとこの中に往復振動可能に納めた振動子とから成る振動発生部が納められたマッサージヘッド１３と、前記振動子の往復振動方向に設けられて前記マッサージヘッドを支持すると共に前記電磁コイルに交番電流を供給する発振回路を備えた持ち手１０と、前記マッサージヘッドに対して着脱自在と成るように設けたマッサージアタッチメント４とから成り、該マッサージアタッチメントの着脱方向が、前記振動子の往復振動方向と、ほぼ同一の方向と成るように構成した。【選択図】図２
0003160611.tif 000002
【実用新案登録請求の範囲】
【請求項１】
電磁コイルとこの中に往復振動可能に納めた振動子とから成る振動発生部が納められたマッサージヘッドと、前記振動子の往復振動方向に設けられて前記マッサージヘッドを支持すると共に前記電磁コイルに交番電流を供給する発振回路を備えた持ち手と、前記マッサージヘッドに対して着脱自在と成るように設けたマッサージアタッチメントとから成り、該マッサージアタッチメントの着脱方向が前記振動子の往復振動方向とほぼ同一の方向と成るように構成されていることを特徴とする、電動マッサージ機。
【請求項２】
前記マッサージヘッドに直接的にまたは間接的に触れる身体を前記電磁コイルから発生する交番磁界に曝すべく、前記マッサージヘッド及び前記マッサージアタッチメントが少なくともその一部で磁力線を透過するように構成されている、請求項１に記載の電動マッサージ機。
【請求項３】
前記持ち手に前記振動発生部に電力を供給するための二次電池を備えている、請求項１に記載の電動マッサージ機。
【考案の詳細な説明】
【技術分野】
【０００１】  この考案は、身体を押したり突いたりチョップを加えてマッサージを行うためのマッサージヘッドを備えた電動マッサージ機に係り、特にマッサージする身体部位に適合するマッサージアタッチメントが、前記マッサージヘッドに着脱自在に設けられている電動マッサージ機に関するものである。
【背景技術】
【０００２】  従来よりモータとその回転軸に設けた分銅とから成る振動発生部の前記モータを持ち手側に設けると共に前記分銅をマッサージヘッド側に設けて成るマッサージ機が各種提案されている。例えば特開平９−１７３４０５号の手持式電動マッサージ機は、取手ケースに連結ばねを介して振動ヘッドを連結させ、患部に当てるローラを振動ヘッドに回転可能に支承したものである。これにより振動ヘッドをローラを介して患部に当てた時にローラが回転するため、振動ヘッドを患部に当てたままでも快適に移動させることができるようになっている。また例えば特開２００１−２５８９７４号のマッサージ兼用電動洗髪ブラシは、モータを内蔵したケーシングに弾性部材を介して振動ヘッドを設け、該振動ヘッド内に前記モータのモータ軸を突設し、該モータ軸に振動子を偏心して取り付け、更に該振動ヘッドの一側面に柔軟物質から成るブラシを取り付けたものである。これによって頭部をマッサージして毛細血行を増進させ、ブラシを用いた洗髪と同時に毛穴の脂垢を除去することができるようになっている。【０００３】  このように振動ヘッドをマッサージの目的毎にその目的に合致する形態とすることによって、所要の効果を上げることが出来る。【０００４】  しかしながらマッサージの目的毎に、異なる振動ヘッドを備えたマッサージ機を幾つも揃えるのは大変な負担である。そこで当考案者は、一つのマッサージ機に複数の異なる役割を担わせれば良いと考えた。すなわち前記振動ヘッドを各々の目的に合致する形態のものとして複数用意しておき、振動ヘッドを目的に応じて取り替えられるようにすれば良いと考えたのである。一例を上げれば、上述の特開平９−１７３４０５号の手持式電動マッサージ機の振動ヘッドと特開２００１−２５８９７４号のマッサージ兼用電動洗髪ブラシの振動ヘッドとは異なるものであるが、この２つの振動ヘッドを一つのマッサージ機で取り替えて使えるようにすれば良い。このような検討の結果、当考案者は特開２００７−３０１３３５号の電動マッサージシステムの発明に至ったのである。
【先行技術文献】
【特許文献】
【０００５】
【特許文献１】特開平９−１７３４０５号公報
【特許文献２】特開２００１−２５８９７４号公報
【特許文献３】特開２００７−３０１３３５号公報
【考案の概要】
【考案が解決しようとする課題】
【０００６】  特開２００７−３０１３３５号の電動マッサージシステムは一つのマッサージ機で幾つもの異なるタイプの振動ヘッドを使い分けられると言う効果を奏しており、これはこれで優れた発明なのであるが、次のような課題を持っていた。すなわち着脱式の振動ヘッドには、マッサージ機の強力な振動運動によって次第次第に不本意に緩んだり外れてしまう問題が見られるのである。そうするとまた締め直したり取り付け直さなくてはならなくなり使用に手間が掛かっていた。【０００７】  そこでこの考案は上述したような問題を解決して、マッサージ機の強力な振動運動によっても緩んだり外れてしまうことが少ない、振動ヘッド着脱式のマッサージ機を提供することを課題とする。
【課題を解決するための手段】
【０００８】  この課題の解決に先立ち当考案者は、振動発生部がモータとその回転軸に設けた分銅とから成るものであるために、振動ヘッド部分がモータの回転軸を振動軸としてあらゆる方向に振動することが原因であるとの認識に至った。このような振動は極めて御し難いものであり、着脱式の振動ヘッドを緩めてしまうものであるが、そもそも身体のマッサージが目的であることから致し方のないものとされ勝ちである。しかしながら振動方向を制御出来れば上述した課題を解決することは可能である。【０００９】  すなわち上記課題は、電磁コイルとこの中に往復振動可能に納めた振動子とから成る振動発生部が納められたマッサージヘッドと、前記振動子の往復振動方向に設けられて前記マッサージヘッドを支持すると共に前記電磁コイルに交番電流を供給する発振回路を備えた持ち手と、前記マッサージヘッドに対して着脱自在と成るように設けたマッサージアタッチメントとから成り、該マッサージアタッチメントの着脱方向が前記振動子の往復振動方向とほぼ同一の方向と成るように構成されていることを特徴とする、電動マッサージ機とすることによって達成される。この電動マッサージ機の電源をＯＮ状態にすると前記発振回路が発振して交番電流を生じ、これが前記電磁コイルに印加されて磁力線を発生し、この磁力線によって振動子に往復振動が起る。この結果マッサージヘッド及びマッサージアタッチメントが往復運動を行うのである。【００１０】  なお前記振動子が永久磁石であるものとすることが出来る。振動子を電磁石で構成することも可能であるが、永久磁石であると給電の必要がなく給電のための接点やブラシ等の不安定な機構が不要であると言う利点がある。また１つの振動発生部を構成する電磁コイルと振動子との組数を、複数組とすることが可能である。また前記振動子の一部分が電磁コイルの外側に取り出されており、この取り出された部位に重錘が設けられているものとすることが出来る。電磁コイルの内側に納められる振動子にはスペースの関係であまり大きなものが使用出来ないため、振動子の一部を電磁コイルの外側に取り出してこれに重錘を設けることによって、より大きな慣性力を利用することが可能となる。【００１１】  この電動マッサージ機の振動発生部は、振動子が往復振動するものとして構成されている。また本願電動マッサージ機は上述したように身体を押したり突いたりチョップを加えてマッサージを行うためのものであるから、マッサージヘッドの往復振動方向は身体を押したり突いたりチョップを加える方向にほぼ一致している。従ってマッサージアタッチメントはマッサージヘッドに対して着脱自在ではあるが、その着脱方向が身体を押したり突いたりチョップを加える方向とほぼ同一の方向であるために、マッサージアタッチメントがどのような部位にマッサージを加えるものであっても、身体をマッサージしつつも身体によりマッサージヘッドの方向に力が加えられる。この結果、マッサージアタッチメントに緩みが生じ難くなり脱落することも少なくなっているのである。なおこの往復振動発生の際に比較的に静音であることも特長として上げることが出来る。【００１２】  なお、前記マッサージヘッドに直接的にまたは間接的に触れる身��を前記電磁コイルから発生する交番磁界に曝すべく、前記マッサージヘッド及び前記マッサージアタッチメントが少なくともその一部で磁力線を透過するように構成されているものとすることが出来る。【００１３】  電磁コイルから発生する交番磁界や往復振動を行なっている振動子から発生する磁力線がマッサージヘッドやマッサージアタッチメントを透過して接触している身体部位に及び、この身体部位に対して磁気治療の効果を与える。マッサージヘッドには一般的なプラスチック素材のものが使用し得る。マッサージアタッチメントにはシリコンゴム等が使用可能である。【００１４】  また、前記持ち手に前記振動発生部に電力を供給するための二次電池を備えているものとしても良い。家庭用電源から前記二次電池に対して充電すれば、本願電動マッサージ機をコードレスで使用することが出来て便利である。
【考案の効果】
【００１５】  この考案は、マッサージアタッチメントの着脱方向が振動子の往復振動方向とほぼ同一の方向と成るように構成した点に特徴を有する。これによりマッサージヘッドの往復振動方向が、身体を押したり突いたりチョップを加える方向にほぼ一致するようになるため、マッサージアタッチメントにはマッサージヘッド方向の力がマッサージしている身体から加えられることになる。【００１６】  この結果、マッサージアタッチメントに緩みが生じ難くなり、脱落することも少なくなると言う効果を奏する。
【図面の簡単な説明】
【００１７】
【図１】  実施例の説明図である。
【図２】  マッサージアタッチメント４を挿着した状態を表す説明図である。
【図３】  バイブレータの断面説明図である。
【図４】  バイブレータ駆動部のブロック図である。
【考案を実施するための形態】
【実施例】
【００１８】  図１で表したようにこの実施例の電動マッサージ機は、マッサージ機１とマッサージアタッチメント４とより成る。マッサージ機１はマッサージヘッド１３を備えており、このマッサージヘッド１３に対してマッサージアタッチメント４が着脱自在に設けられているものである。【００１９】  前記マッサージアタッチメント４は、表面が柔軟なシリコンゴム製の基部４１と先端部分の指形状の指圧部４０とから成り、基部４１には挿着凹部４２が形成されている。挿着凹部４２は上述したマッサージヘッド１３がピタリと嵌合する大きさに設けられており、この挿着凹部４２からマッサージアタッチメント４を前記マッサージヘッド３０に被せるようにして取り付けると、指圧部４０が主体となる新たなマッサージ機とすることが出来る。このようなマッサージアタッチメントはマッサージする身体部位に適合する形状や大きさのものを複数用意しておくことで、状況に応じて使い分けることが出来るのである。例えばこの実施例のような指の形のもの以外に、掌の親指の付け根の形をしたものや、チョップとなる平手の形をしたものをマッサージアタッチメントとするのである。【００２０】  マッサージ機１はマッサージヘッド１３の内部に、図３で表したようなバイブレータ２を備えている。バイブレータ２は、透磁性の周壁部２１と両側の側壁部２２，２２とから成る円筒形のバイブレータの周囲を透磁性のハードケース２０で覆ったものである。両側の側壁部２２，２２は各々その中心部にシャフト２４を通す軸受け２３が設けられていると共に、内側には後述する磁力バネ６，６０が固定されている。また周壁部２１の中央部の内側には前記シャフト２４を通す中心孔が開いたヨーク３とその外周部に捲回された電磁コイル３０とが、この電磁コイル３０の外周部で固定されている。更にこのこの電磁コイル３０とその両側の磁力バネ６，６０との間には永久磁石５，５０が、永久磁石５，５０の中心孔に通した前記シャフト２４に固定されている。なおこの実施例では、永久磁石５，５０は何れもヨーク３に向かう側がＳ極となるように配設されている。また磁力バネ６，６０の極性はこの実施例では、永久磁石５，５０に向かう側がＮ極となるように配設されている。【００２１】  このバイブレータ２の駆動部は図４のブロック図で表すように、マッサージ目的の低周波振動を発生する発振部３１と、この発振部３１の出力端に制御部３１を介して接続された電磁コイル３０と、これ等に電力を供給する充電部３４と、この充電部３４に制御部３１を介して接続された電力供給部３２とから構成されている。なお前記制御部３１には図示しないが発振周波数を設定するための操作部や電源のＯＮ／ＯＦＦ状態や発振周波数等を表示する表示部が含まれている。前記電力供給部３２はこの実施例では家庭用電源に接続するアダプターである。電力供給部３２には電源コード１２が接続されている。なお発振周波数の設定に関してこの実施例は身体に心地良いと感じる振動数に設定可能である。この心地良いと感じる振動数は個人によって異なるものであり、身体部位によっても違いがあり、またその時々の気分により感じ方が異なるものであるから、最適となるように調整すれば良い。【００２２】  ��てマッサージ機１の持ち手１０のスイッチ１１を、すなわち制御部３１をＯＮ状態にすると、発振部３３が交番電流を発生し、これが電磁コイル３０に供給されて電磁コイル３０はヨーク３を通る磁力線Ｍを発生する。このヨーク３の両側に磁極Ｎと磁極Ｓとが交替で現われる。この時の様子を図３に付いて説明すると、磁極Ｎになった側のヨーク３と永久磁石５のＳ極とが引き合うと共に、磁極Ｓになった側のヨーク３と永久磁石５０のＳ極とが反発し合うために、シャフト２４は図３の右方向（矢線方向）へ移動する。しかしながらこの次の瞬間には前記電磁コイル３０のヨーク３の磁極は逆転するため、今度は前記シャフト２４は図３の左方向へ移動する。このようにしてシャフト２４に振動が発生する。この際に前記永久磁石５，５０は自らの重量によって慣性力を高める。なお前記シャフト２４が右方向へ動く場合でも左方向へ動く場合でも、前記永久磁石５のＮ極と前記磁力バネ６のＮ極とが反発し合い、また前記前記永久磁石５０のＮ極と前記磁力バネ６０のＮ極とが反発し合うため、シャフト２４が左右に振れ過ぎると言うことは起らない。このようにしてバイブレータ２に振動が発生し、この振動はマッサージヘッド１３の振動となって現われる。従ってこのマッサージヘッド１３に挿着されたマッサージアタッチメント４が図２の矢線方向に振動することになる。【００２３】  なおマッサージヘッド１３側と持ち手１０側とは蛇腹１４とその内部の図示しないコイルバネで接続されているために、持ち手１０を持つとバイブレータ２の振動は主としてマッサージヘッド１３側で強く起こる。このためマッサージアタッチメント４を身体の所要の部位に当てることで、振動する指圧部４０によって押圧を行なうことが出来るのである。【００２４】  図２で往復矢線で表したこの振動の方向が、すなわち身体を指圧する方向とこの指圧力の反作用を受ける方向とが、マッサージアタッチメント４の着脱方向に一致している点がこの考案では特に重要である。【００２５】  ところで上述したようにバイブレータ２は透磁性の周壁部２１とハードケース２０とを備えている。そこでマッサージヘッド１３とマッサージアタッチメント４とに関しても透磁性の素材で構成することによって、バイブレータ２の内部で発生した磁力線Ｍは周壁部２１とハードケース２０及びマッサージヘッド１３とマッサージアタッチメント４とを透過して、マッサージアタッチメント４に触れる身体に影響を及ぼすようになっている（交番磁界に曝された身体の血流に良い影響を与える）。
【産業上の利用可能性】
【００２６】  この考案は上述した実施例にのみ限定されないから、マッサージ機にどのような形態のものを用いるかは自由であり、そのマッサージヘッドの形状や材質などに合わせた形状や材質に成るマッサージアタッチメントを提供すればよい。肩や背中を押してマッサージするためのマッサージアタッチメントとして、猫の手を模した形状とするなどの工夫も面白い。
【符号の説明】
【００２７】１    マッサージ機
１０  持ち手
１１  スイッチ
１２  電源コード
１３  マッサージヘッド
１４  蛇腹
２    バイブレータ
２０  ハードケース
２１  周壁部
２２  側壁部
２３  軸受け
２４  シャフト
３    ヨーク
３０  電磁コイル
３１  制御部
３２  電力供給部
３３  発振部
３４  充電部
４    マッサージアタッチメント
４０  指圧部
４１  基部
４２  挿着凹部
５    永久磁石
５０  永久磁石
６    磁力バネ
６０  磁力バネ
Ｎ    磁極Ｎ
Ｓ    磁極Ｓ
Ｍ    磁力線
【図１】
0003160611.tif 000003
【図２】
0003160611.tif 000004
【図３】
0003160611.tif 000005
【図４】
0003160611.tif 000006